(57)【要約】【課題】複数階のフロアを有する建築物において、容易な施工で、外壁における雨だれを目立たなくできる建築物を提供すること。【解決手段】建築物１は、複数階のフロアを有し、鉛直方向に立設する複数の立面を有し、内部と外部とを画し、開口部１５が形成された外壁１０と、内部においてフロアを形成するスラブ２０と、を備え、外壁１０は、複数の立面のうち、開口部１５の面積より開口部以外の部分の壁部１６の面積の方が大きい東側立面１１を有し、スラブ２０は、外壁１０の外部側に突出して形成された突出部２１を有し、突出部２１は、東側立面１１に形成されている。【選択図】図１
2013238020.tif 000002
【特許請求の範囲】
【請求項１】
複数階のフロアを有する建築物であって、
鉛直方向に立設する複数の立面を有し、内部と外部とを画し、開口部が形成された外壁と、前記内部において前記フロアを形成するスラブと、を備え、
前記外壁は、複数の前記立面のうち、前記開口部の面積より前記開口部以外の部分の面積の方が大きい特定立面を有し、
前記スラブは、前記外壁の前記外部側に突出して形成された突出部を有し、
前記突出部は、前記特定立面に形成された建築物。
【請求項２】
前記突出部は、前記特定立面の水平方向の一端側から他端側に連なって延び、先端側の側縁が平面視で湾曲して形成され、
各階の前記スラブの前記突出部は、略同一形状に形成されている請求項１に記載の建築物。
【請求項３】
前記外壁は、複数の前記立面のうち、前記開口部以外の部分の面積より前記開口部の面積の方が大きい特別立面を有し、前記特別立面において、平面視で段階的に所定方向に突出する出隅が形成され、
前記突出部は、前記特別立面にも形成され、先端側の側縁が前記出隅近傍を延びる請求項１又は２に記載の建築物。
【発明の詳細な説明】
【技術分野】
【０００１】
本発明は、建築物に関し、詳しくは、複数階のフロアを有する建築物に関する。
【背景技術】
【０００２】
建築物は、屋外に建設されるため外壁には塵埃等の汚れが付着する。また、建築物の外壁は、風雨に曝されている。そして、外壁に付着した雨は、水滴となり、外壁の表面を伝い下方に流れる。塵埃等の汚れが付着した外壁は、この水滴が流れた跡（以下、雨だれとも言う）が残る。特に、複数階のフロアを有する建築物は、階高が高くなり、最上階から地盤面まで水滴が流れ、雨だれが長くなり、この雨だれがより目立ち、外観を損ねている。
【０００３】
そこで、壁面の外表面に、横溝と、壁面に連続して形成され、該壁面に流れる水流や水滴を横溝に案内する傾斜部と、横溝から連続して下方に延びる縦溝とが設けられ、横溝内に、下底が該横溝の奥底方向にいくにつれて漸次下方に傾斜する傾斜面を有する樋部を設けた建築物外壁面の汚れ防止構造が提案されている（特許文献１参照）。
特許文献１の技術によれば、樋部の内部は、下から見上げる人にとって死角になるので、水滴とともに流された塵埃等が堆積しても外観上これは見えない。一方、水滴は、縦溝部を通って下方に流出する。その結果、雨だれを目立たなくすることができる。
【０００４】
また、複数階のフロアを有する建築物には、各フロア毎に外壁から水平方向に突出するバルコニーや庇が設けられている場合がある。この場合、外壁における雨だれは、バルコニーや庇によって遮られるため、あまり目立たなくなる。
【先行技術文献】
【特許文献】
【０００５】
【特許文献１】特許第２９２３６４５号公報
【発明の概要】
【発明が解決しようとする課題】
【０００６】
しかしながら、特許文献１に記載された技術は、外壁の表面に、樋部が設けられた横溝や、この横溝に連続して連なる縦溝を形成する必要がある。このような横溝及び縦溝を形成するには、例えば、建築物が鉄筋コンクリート造であれば、予め横溝及び縦溝を形成するための型枠を製作し、この型枠を用いてコンクリートを打設する必要があり、容易に施工することはできない。
【０００７】
また、複数階のフロアを有する建築物は、例えば、長手方向の正面側の外壁には窓等の開口部が多く形成され、バルコニーや庇が設けられるが、短辺方向の妻側の外壁には開口部が設けられなかったり、正面側に比べ開口部が少なかったりする場合がある。このような場合、バルコニーや庇が設けられていない妻側の外壁は、雨だれが目立ち外観を損ねることとなる。
【０００８】
本発明は、複数階のフロアを有する建築物において、容易な施工で、外壁における雨だれを目立たなくすることを目的とする。
【課題を解決するための手段】
【０００９】
（１）  複数階のフロアを有する建築物であって、
鉛直方向に立設する複数の立面を有し、内部と外部とを画し、開口部が形成された外壁と、前記内部において前記フロアを形成するスラブと、を備え、前記外壁は、複数の前記立面のうち、前記開口部の面積より前記開口部以外の部分の面積の方が大きい特定立面を有し、２階以上の前記スラブは、前記外壁の前記外部側に突出して形成された突出部を有し、前記突出部は、前記特定立面に形成された建築物。
【００１０】
（１）の発明によれば、外壁における複数の立面のうち、開口部の面積より開口部以外の部分の面積の方が大きい特定立面において、スラブを外壁の外部側に突出して形成した突出部を設けた。
これにより、開口部が少なく、通常、バルコニーや庇が設けられることがない、例えば、建築物の妻側の外壁において、フロア毎に外壁から突出する突出部により、上方から下方に流れる雨だれを遮ることができる。よって、バルコニーや庇が設けられることがない外壁においても、雨だれを目立たなくすることができる。
【００１１】
また、突出部は、各フロアを形成するスラブの一部であるので、各フロアのスラブとともに施工できる。具体的には、突出部の施工は、各フロアのスラブを施工する際に、スラブを生成するコンクリートを受けるパネルやデッキプレートを、外壁面より外部側に突出させて貼り延ばし、外壁面より内部のスラブとともにコンクリートを打設する。これにより、各フロアとともに突出部が形成される。よって、突出部は、特殊な型枠や金物を用いることなく、従来とおりのスラブを形成する工法で施工できる。
したがって、複数階のフロアを有する建築物において、容易な施工で、外壁における雨だれを目立たなくすることができる。
更に、突出部を歩行可能な幅で形成することで、各フロアに形成された突出部を足掛かりとして、外壁のメンテナンスを行うこともできるので、建築物の維持管理が容易となる。
【００１２】
（２）  前記突出部は、前記特定立面の水平方向の一端側から他端側に連なって延び、先端側の側縁が平面視で湾曲して形成され、各階の前記スラブの前記突出部は、略同一形状に形成されている（１）に記載の建築物。
【００１３】
（２）の発明によれば、複数階の突出部の側縁を、平面視で湾曲して形成し、略同一形状に形成できる。
これにより、（１）の作用効果に加え、特定立面において、湾曲して水平方向に延びる突出部が、垂直方向に配列された意匠が形成できるので、建築物の意匠性を向上できる。
【００１４】
（３）  前記外壁は、複数の前記立面のうち、前記開口部以外の部分の面積より前記開口部の面積の方が大きい特別立面を有し、前記特別立面において、平面視で段階的に所定方向に突出する出隅が形成され、前記突出部は、前記特別立面にも形成され、先端側の側縁が前記出隅近傍を延びる（１）又は（２）に記載の建築物。
【００１５】
（３）の発明によれば、開口部以外の部分の面積より開口部の面積の方が大きく、平面視で段階的に所定方向に突出する出隅が形成された特別立面において、先端側の側縁が出隅近傍を延びる突出部を形成できる。
これにより、開口部が少ない特定立面とともに、開口部が多い特別立面においても、突出部を形成できる。
ここで、出隅が形成された特別立面は、出隅により面による連続性が途絶えるため、意匠性が損なわれる。しかしながら、突出部の側縁を出隅近傍で延ばすことで、例えば、ある出隅から次ぎの出隅が突出部により結ばれ、意匠性が損なわれるのを緩和できる。
また、突出部は、各階のスラブの一部であるので、特定立面と特別立面とにおいて、同じレベルと同じ厚さで形成される。これにより、特定立面と特別立面とにおいて、統一的な意匠を形成できるので、建築物の意匠性を向上できる。
【発明の効果】
【００１６】
本発明によれば、複数階のフロアを有する建築物において、容易な施工で、外壁における雨だれを目立たなくできる。
【図面の簡単な説明】
【００１７】
【図１】本発明の実施形態に係る建築物の２階〜４階の平面図である。
【図２】前記実施形態に係る建築物の東側立面を示す図である。
【図３】前記実施形態に係る建築物の図１におけるＡＡ断面を示す図である。
【図４】前記実施形態に係る建築物の南側立面を示す図である。
【図５】前記実施形態に係る建築物の図１におけるＢＢ断面を示す図である。
【発明を実施するための形態】
【００１８】
以下に、本発明の実施形態について説明する。
図１は、本発明の実施形態に係る建築物１の２階〜４階の平面図である。
本実施形態に係る建築物１は、地下１階、地上４階及び屋上階のフロアを有する。建築物１は、壁構造の鉄筋コンクリート造である。
【００１９】
また、建築物１の各フロアには、互いに面積やレイアウトが異なる、複数種類の住戸が設けられている。具体的には、建築物１の各フロアには、Ａｔｙｐｅ、Ｂｔｙｐｅ、Ｃｔｙｐｅ及びＤｔｙｐｅ４つのタイプの住戸が設けられている。各住戸には、それぞれ洗面、バス、トイレ及びキッチン等の設備が設けられている。建築物１の各フロアに設けられた、Ａｔｙｐｅ、Ｂｔｙｐｅ、Ｃｔｙｐｅ及びＤｔｙｐｅの住戸は、西側から東側に向けて、Ａｔｙｐｅ、Ｂｔｙｐｅ、Ｃｔｙｐｅ、Ｄｔｙｐｅの順に配置されている。
【００２０】
なお、本実施形態の建築物１は、本発明の建築物の一例であり、本発明は、任意の階数、任意の構造の建築物にも適用できる。例えば、本発明は、地上３階建て、ラーメン構造の鉄骨造や、地上１０階建て、ラーメン構造の鉄骨鉄筋コンクリート造の建築物にも適用できる。また、本発明は、任意の面積やレイアウトで構成された住戸が各フロアに設けられた建築物にも適用できる。例えば、本発明は、同じ面積や同じレイアウトで構成された住戸が各フロアに設けられた建築物にも適用できる。
【００２１】
建築物１は、建築物１内部と外部とを画し、開口部１５が形成された外壁１０と、内部において地下１階〜地上４階及び屋上階フロアを形成するスラブ２０と、を備える。
【００２２】
外壁１０は、鉛直方向に立設する複数の立面を有する。
本実施形態において、「複数の立面」には、東側立面１１、南側立面１２、西側立面１３及び北側立面が含まれる。また、本実施形態において、「開口部」は、窓や開き戸を含む。
【００２３】
地上１階乃至屋上階フロアを形成するスラブ２０は、外壁１０の東側立面１１及び南側立面１２において、当該外壁１０の外部側に突出して形成された突出部２１を備える。
【００２４】
図２は、前記実施形態に係る建築物１の東側立面１１を示す図である。
なお、図２及び以下に説明する図３〜図５では、理解を容易にするため、洗面、バス、トイレ及びキッチン等の設備の記載を省略している。
図２に示すように、外壁１０の東側立面１１は、特定立面の一例であり、東側立面１１における開口部１５の総面積より開口部１５以外の部分である壁部１６の総面積の方が大きい。
ここで、建築物は、例えば、道路に面する外壁には、通常、防音の観点から窓を設けず、最低限の開口部として避難口としての開き戸のみを設ける場合がある。このような場合、図２に示すような東側立面１１の態様となる。
【００２５】
図３は、前記実施形態に係る建築物１の図１におけるＡＡ断面を示す図である。
図３に示すように、突出部２１は、外壁１０の東側立面１１において、外部側に突出して、道路境界線近傍まで延びている。各階のスラブ２０の突出部２１は、略同一形状に形成されている。なお、突出部２１は、水勾配として、上面を基端側（外壁１０側）から先端側（道路境界線側）に向けて下方に傾斜させてもよい。また、突出部２１は、下面の先端側に水切りとして欠き込みを設けてもよい。
【００２６】
図４は、前記実施形態に係る建築物１の南側立面１２を示す図である。
図４に示すように、外壁１０の南側立面１２は、特別立面の一例であり、南側立面１２における壁部１６の総面積より開口部１５の総面積の方が大きい。なお、特別立面は、壁部１６の総面積と開口部１５の総面積とが同じである立面であってもよい。
ここで、建築物は、例えば、南に面する外壁には、通常、採光の観点から多くの窓を設ける場合がある。このような場合、図４に示すような南側立面１２の態様となる。
【００２７】
図５は、前記実施形態に係る建築物１の図１におけるＢＢ断面を示す図である。
図５に示すように、突出部２１は、外壁１０の南側立面１２において、外部側に突出して延びている。
【００２８】
図１に戻って、南側立面１２において、外壁１０は、基準線Ｘ１からＸ５に向けて段階的に、基準線Ｙ１からＹ５に向かう方向に突出して形成されている。具体的には、Ａｔｙｐｅの南側の外壁１０は基準線Ｙ２を壁芯として形成され、Ｂｔｙｐｅの南側の外壁１０は基準線Ｙ２より南側に延びる基準線Ｙ３を壁芯として形成され、Ｃｔｙｐｅの南側の外壁１０は基準線Ｙ３より南側に延びる基準線Ｙ４を壁芯として形成され、Ｄｔｙｐｅの南側の外壁１０は基準線Ｙ４より南側に延びる基準線Ｙ５を壁芯として形成されている。これにより、南側立面１２において、Ｂｔｙｐｅ、Ｃｔｙｐｅ及びＤｔｙｐｅの住戸の南側の外壁１０には、西側端部に出隅１７が形成されている。
【００２９】
突出部２１は、東側立面１１の水平方向の一端部側（例えば、南側端部）から他端側（例えば、北側端部）に連なって延び、先端側の側縁２１ａが平面視で湾曲して形成されている。
この側縁２１ａは、南側立面１２において、外壁１０の出隅１７近傍を延びている。
【００３０】
次に、本実施形態に係る突出部２１の施工方法について説明する。
突出部２１は、地上１階乃至屋上階フロアを形成するスラブ２０の一部であるので、各フロアのスラブ２０とともに施工される。
具体的には、例えば、地上２階立ち上がり工事においては、１階の柱、梁及び壁（内壁及び外壁１０）の鉄筋を配筋し、柱、梁及び壁の型枠を設置する。
次に、地上２階のスラブ２０を生成するコンクリートを受けるパネルやデッキプレートを設置する。このとき、パネル等は、外壁１０の内部側とともに、外壁１０の外部側にも設置する。そして、このパネルの上に床の鉄筋を配筋し、コンクリートを打設する。これにより、突出部２１が形成される。
このように、突出部２１は、特殊な型枠や金物を用いることなく、従来とおりのスラブを形成する工法で施工できる。
【００３１】
次に、本実施形態に係る建築物１の作用効果について説明する。
本実施形態によれば、外壁１０における複数の立面のうち、開口部１５の面積より開口部１５以外の部分の面積である壁部１６の方が大きい東側立面１１において、スラブ２０を外壁１０の外部側に突出して形成した突出部２１を設けた。
これにより、開口部１５が少なく、通常、バルコニーや庇が設けられることがない、例えば、建築物の妻側の外壁において、フロア毎に外壁１０から突出する突出部２１により、上方から下方に流れる雨だれを遮ることができる。よって、バルコニーや庇が設けられることがない外壁においても、雨だれを目立たなくすることができる。
したがって、複数階のフロアを有する建築物において、容易な施工で、外壁における雨だれを目立たなくすることができる。
更に、突出部を歩行可能な幅で形成することで、各フロアに形成された突出部２１を足掛かりとして、外壁１０のメンテナンスを行うこともできるので、建築物の維持管理が容易となる。
【００３２】
また、本実施形態によれば、複数階の突出部２１の側縁２１ａを、平面視で湾曲して形成し、略同一形状に形成した。
これにより、東側立面１１において、湾曲して水平方向に延びる突出部２１が、垂直方向に配列された意匠が形成できるので、建築物の意匠性を向上できる。
【００３３】
更に、本実施形態によれば、壁部１６の面積より開口部１５の面積の方が大きく、平面視で段階的に南側方向に突出する出隅１７が形成され南側立面１２において、先端側の側縁２１ａが出隅１７近傍を延びる突出部２１を形成した。
これにより、開口部１５が少ない東側立面１１とともに、開口部１５が多い南側立面１２においても、突出部２１を形成できる。
ここで、出隅１７が形成された南側立面１２は、出隅１７により面による連続性が途絶えるため、意匠性が損なわれる。しかしながら、突出部２１の側縁２１ａを出隅１７近傍で延ばすことで、例えば、ある出隅１７から次ぎの出隅１７が突出部２１により結ばれ、意匠性が損なわれるのを緩和できる。
また、突出部２１は、各階のスラブ２０の一部であるので、東側立面１１と南側立面１２とにおいて、同じレベルと同じ厚さで形成される。これにより、東側立面１１と南側立面１２とにおいて、統一的な意匠を形成できるので、建築物の意匠性を向上できる。
【００３４】
以上、本発明の実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００３５】
１      建築物
１０    外壁
１１    東側立面
１２    南側立面
１３    西側立面
１５    開口部
１６    壁部
１７    出隅
２０    スラブ
２１    突出部
２１ａ  側縁
【図１】
2013238020.tif 000003
【図２】
2013238020.tif 000004
【図３】
2013238020.tif 000005
【図４】
2013238020.tif 000006
【図５】
2013238020.tif 000007